(57)【要約】【課題】分割断面のメッシュを構成する一次元ダミー要素の、節点、独立節点、及び識別情報を関連付ける解析用データを自動的に生成でき、これにより作業工数の低減、作業ミスの発生の抑制ができる設計支援技術の提供を課題とする。【解決手段】有限要素モデルを示すデータの入力を受ける入力手段１１と、一次元ダミー要素を並べ替える一次元ダミー要素並べ替え手段１２と、一次元ダミー要素連続曲線を生成する一次元ダミー要素連続曲線生成手段１３と、一次元ダミー要素連続曲線を図形表示する一次元ダミー要素連続曲線図形表示手段１４と、図形表示されている一次元ダミー要素連続曲線上の節点から、独立節点を選択する情報の入力を受ける独立節点選択情報入力手段１５と、独立節点に他の節点とは異なる識別情報を付与する識別情報付与手段１７と、節点、独立節点、及び識別情報を関連付ける解析用データを生成する解析用データ生成手段１８と、を備える。【選択図】図１
2009003506.tif 000002
【特許請求の範囲】
【請求項１】
予め、板部材によって形成された解析対象物の第１の特性を解析するために生成された第１の有限要素モデルを所定の分割点で分割して、前記第１の特性とは異なる第２の特性を解析するための第２の有限要素モデルが生成され、
前記第２の有限要素モデルを示す第２有限要素モデルデータの入力を受ける入力手段と、
前記第２の有限要素モデルの前記分割点における断面のメッシュを構成する一次元ダミー要素を、前記断面の形状に沿って連続的に並べ替える一次元ダミー要素並べ替え手段と、
前記一次元ダミー要素並べ替え手段によって並べ替えられた前記一次元ダミー要素を節点で連続させて、前記分割点における前記断面の形状を表す一次元ダミー要素連続曲線を生成する一次元ダミー要素連続曲線生成手段と、
前記一次元ダミー要素連続曲線を図形表示する一次元ダミー要素連続曲線図形表示手段と、
前記図形表示されている前記一次元ダミー要素連続曲線上の前記節点の中から、前記第２の特性を解析するための独立節点を選択する情報の入力を受ける独立節点選択情報入力手段と、
選択された前記節点を前記独立節点として設定する独立節点設定手段と、
前記独立節点に他の前記節点とは異なる識別情報を付与する識別情報付与手段と、
前記節点、前記独立節点、及び前記識別情報を関連付ける解析用データを生成する解析用データ生成手段と、
を備える設計支援装置。
【請求項２】
前記第２有限要素モデルデータ及び前記解析用データを関連付けて出力する出力手段を、
更に備える請求項１に記載の設計支援装置。
【請求項３】
前記第１の特性は幾何学的線形性を有する特性であり、前記第２の特性は幾何学的非線形性を有する特性である請求項１または２に記載の設計支援装置。
【請求項４】
予め、板部材によって形成された解析対象物の第１の特性を解析するために生成された第１の有限要素モデルを所定の分割点で分割して、前記第１の特性とは異なる第２の特性を解析するための第２の有限要素モデルが生成され、
コンピュータが、
前記第２の有限要素モデルを示す第２有限要素モデルデータの入力を受けるステップと、
前記第２の有限要素モデルの前記分割点における断面のメッシュを構成する一次元ダミー要素を、前記断面の形状に沿って連続的に並べ替えるステップと、
前記一次元ダミー要素並べ替え手段によって並べ替えられた前記一次元ダミー要素を節点で連続させて、前記分割点における前記断面の形状を表す一次元ダミー要素連続曲線を生成するステップと、
前記一次元ダミー要素連続曲線を図形表示するステップと、
前記図形表示されている前記一次元ダミー要素連続曲線上の前記節点の中から、前記第２の特性を解析するための独立節点を選択する情報の入力を受けるステップと、
選択された前記節点を前記独立節点として設定するステップと、
前記独立節点に他の前記節点とは異なる識別情報を付与するステップと、
前記節点、前記独立節点、及び前記識別情報を関連付ける解析用データを生成するステップと、
を実行する設計支援方法。
【請求項５】
前記第２有限要素モデルデータ及び前記解析用データを関連付けて出力するステップを、
更に実行する請求項４に記載の設計支援方法。
【請求項６】
前記第１の特性は幾何学的線形性を有する特性であり、前記第２の特性は幾何学的非線形性を有する特性である請求項４または５に記載の設計支援方法。
【請求項７】
予め、板部材によって形成された解析対象物の第１の特性を解析するために生成された第１の有限要素モデルを所定の分割点で分割して、前記第１の特性とは異なる第２の特性を解析するための第２の有限要素モデルが生成され、
コンピュータに、
前記第２の有限要素モデルを示す第２有限要素モデルデータの入力を受けるステップと、
前記第２の有限要素モデルの前記分割点における断面のメッシュを構成する一次元ダミー要素を、前記断面の形状に沿って連続的に並べ替えるステップと、
前記一次元ダミー要素並べ替え手段によって並べ替えられた前記一次元ダミー要素を節点で連続させて、前記分割点における前記断面の形状を表す一次元ダミー要素連続曲線を生成するステップと、
前記一次元ダミー要素連続曲線を図形表示するステップと、
前記図形表示されている前記一次元ダミー要素連続曲線上の前記節点の中から、前記第２の特性を解析するための独立節点を選択する情報の入力を受けるステップと、
選択された前記節点を前記独立節点として設定するステップと、
前記独立節点に他の前記節点とは異なる識別情報を付与するステップと、
前記節点、前記独立節点、及び前記識別情報を関連付ける解析用データを生成するステップと、
を実行させる設計支援プログラム。
【請求項８】
前記第２有限要素モデルデータ及び前記解析用データを関連付けて出力するステップを、
更に実行させる請求項７に記載の設計支援プログラム。
【請求項９】
前記第１の特性は幾何学的線形性を有する特性であり、前記第２の特性は幾何学的非線形性を有する特性である請求項７または８に記載の設計支援プログラム。
【発明の詳細な説明】
【技術分野】
【０００１】
本発明は、設計支援技術に関する。
【背景技術】
【０００２】
従来、板部材によって形成された自動車の部品、例えば中間ビームサスペンションの強度を解析するために生成された有限要素モデルを、操縦安定性を解析するための有限要素モデルに変換することが行われている。この場合、まず、強度解析用の有限要素モデルを所定の分割点で分割して、複数の操縦安定性解析用の有限要素モデルを生成する。
【０００３】
次に、操縦安定性を解析するために適切な位置を指定するため、分割後の有限要素モデルにおける分割点の断面（以下、分割断面と呼ぶ。）のメッシュから上記適切な位置に対応する節点を選択し、この節点を独立節点として他の節点と区別するための識別情報を付与し、分割断面におけるメッシュの節点、独立節点及び識別情報を関連付けた解析用データを作成する。節点の中から独立節点を選択するのは、節点の自由度が６つ（Ｘ，Ｙ，Ｚ軸方向、及びＸ，Ｙ，Ｚ軸に対する回転方向の６個）あるため、全ての節点について第２の特性を解析するとなると作業量が膨大になるからである。従来は、解析用データの作成を人手作業によって行っていた。
【特許文献１】特開平８−３２０９４７号公報
【特許文献２】特許第３０５２８６１号公報
【発明の開示】
【発明が解決しようとする課題】
【０００４】
しかしながら、従来は、分割断面のメッシュの節点、独立節点、及び識別情報を関連付ける解析用データの作成を、人手作業によって行っていたので、作業工数が増大すると共に、作業ミスが発生するおそれがあった。
【０００５】
本発明は、このような問題に鑑みなされたもので、分割断面のメッシュ、節点、独立節点、及び識別情報を関連付ける解析用データを自動的に生成でき、これにより作業工数を低減できると共に作業ミスの発生を抑制できる設計支援技術の提供を課題とする。
【課題を解決するための手段】
【０００６】
本発明は前記課題を解決するために、以下の手段を採用した。
すなわち、本発明は、
予め、板部材によって形成された解析対象物の第１の特性を解析するために生成された第１の有限要素モデルを所定の分割点で分割して、前記第１の特性とは異なる第２の特性を解析するための第２の有限要素モデルが生成され、
前記第２の有限要素モデルを示す第２有限要素モデルデータの入力を受ける入力手段と、
前記第２の有限要素モデルの前記分割点における断面のメッシュを構成する一次元ダミー要素を、前記断面の形状に沿って連続的に並べ替える一次元ダミー要素並べ替え手段と、
前記一次元ダミー要素並べ替え手段によって並べ替えられた前記一次元ダミー要素を節点で連続させて、前記分割点における前記断面の形状を表す一次元ダミー要素連続曲線を生成する一次元ダミー要素連続曲線生成手段と、
前記一次元ダミー要素連続曲線を図形表示する一次元ダミー要素連続曲線図形表示手段と、
前記図形表示されている前記一次元ダミー要素連続曲線上の前記節点の中から、前記第
２の特性を解析するための独立節点を選択する情報の入力を受ける独立節点選択情報入力手段と、
選択された前記節点を前記独立節点として設定する独立節点設定手段と、
前記独立節点に他の前記節点とは異なる識別情報を付与する識別情報付与手段と、
前記節点、前記独立節点、及び前記識別情報を関連付けて解析用データを生成する解析用データ生成手段と、
を備える。
【０００７】
解析対象物としては板部材によって形成された自動車の中間ビームサスペンションなどをできる。本発明によれば、予め作成されている第２の有限要素モデルの分割点における断面のメッシュの一次元ダミー要素を、断面の形状に沿って並べ替えた後、断面の形状を表す一次元ダミー要素連続曲線を図形表示するので、第２の解析をするのに適した節点を独立節点として選択するのが容易になる。
【０００８】
また、断面のメッシュにおける節点、独立節点、及び識別情報を関連付ける解析用データを自動的に生成するので、解析用データを作成するための作業工数を低減できると共に、作業ミスの発生を抑制できる。
【０００９】
ここで、前記第２の有限要素モデルデータ及び前記解析用データを関連付けて出力する出力手段を、更に備える構成にできる。
【００１０】
また、前記第１の特性は幾何学的線形性を有する特性を、前記第２の特性は幾何学的非線形性を有する特性を例示できる。また、幾何学的線形性を有する特性としては強度特性を、幾何学的非線形性を有する特性としては、自動車の操縦安定性を例示できる。
【００１１】
また、本発明は、コンピュータその他の装置、機械等が上記いずれかの処理を実行する方法であってもよい。また、本発明は、コンピュータその他の装置、機械等に、以上のいずれかの機能を実現させるプログラムをコンピュータ等が読み取り可能な記録媒体に記録したものであってもよい。
【００１２】
ここで、コンピュータが読み取り可能な記録媒体とは、データやプログラム等の情報を電気的、磁気的、光学的、機械的、または化学的作用によって蓄積し、コンピュータから読み取ることができる記録媒体をいう。
【００１３】
このような記録媒体のうちコンピュータから取り外し可能なものとしては、例えばフレキシブルディスク、光磁気ディスク、CD-ROM、CD-R/W、DVD、DAT、８mmテープ、メモリカード等がある。
【００１４】
また、コンピュータに固定された記録媒体として、ハードディスクやＲＯＭ（リードオンリーメモリ）等がある。
【発明の効果】
【００１５】
本発明によれば、第２の有限要素モデルの分割点における断面のメッシュ、節点、独立節点及び識別情報を関連付ける解析用データを自動的に生成するので、作業工数を低減できると共に、作業ミスの発生を抑制できる。
【発明を実施するための最良の形態】
【００１６】
以下、図面を参照して本発明を実施するための最良の形態（以下、実施形態という）に係る設計支援技術について説明する。なお、以下の実施形態の構成は例示であり、本発明は実施形態の構成には限定されない。
【００１７】
図１は、本発明に係る設計支援装置１を示す。この設計支援装置１は、ＣＰＵ、メモリ、ハードディスク、表示装置、入力装置（例えば、ポインティングデバイス、キーボード）等を有するコンピュータ上でコンピュータプログラムを実行することにより実現される。
【００１８】
この設計支援装置１は、予め、板部材によって形成された解析対象物の第１特性を解析するための第１有限要素モデルを所定の分割点で分割して、第２特性を解析するために第２有限要素モデルが生成され、この第２有限要素モデルを示す第２有限要素モデルデータの入力を受ける入力手段１１と、第２有限要素モデルの分割点における断面のメッシュの一次元ダミー要素を、断面の形状に沿って連続的に並べ替える一次元ダミー要素並べ替え手段１２と、一次元ダミー要素並べ替え手段１２によって並べ替えられた一次元ダミー要素を節点で連続させて、前記分割点における前記断面の形状を表す一次元ダミー要素連続曲線を生成する一次元ダミー要素連続曲線生成手段１３と、一次元ダミー要素連続曲線を図形表示する一次元ダミー要素連続曲線図形表示手段１４と、図形表示されている一次元ダミー要素連続曲線上の節点の中から、第２特性を解析するための独立節点を選択する情報の入力を受ける独立節点選択情報入力手段１５と、選択された節点を独立節点に設定する独立節点設定手段１６と、独立節点に他の節点とは異なる識別情報を付与する識別情報付与手段１７と、節点、独立節点、及び識別情報を関連付ける解析用データを生成する解析用データ生成手段１８と、第２有限要素モデルデータ及び解析用データを関連付けて出力する出力手段１９とを備えている。
【００１９】
次に、上記各構成要素について説明する。なお、本実施形態では、自動車の中間ビームサスペンションを解析対象物とする場合について説明する。また、本実施形態では、第１有限要素モデルは、例えばNASTRAN（登録商標）データに含まれている。また、第１有限
要素モデルを分割した第２有限要素モデル、及び第２有限要素モデルの分割点における断面のメッシュは例えばPLOTEL（登録商標）データに含まれている。そして、このPLOTELデータはNASTRANデータに含まれている。すなわち、NASTRANデータには、第１有限要素モデル、第２有限要素モデル及び第２有限要素モデルにおける断面のメッシュが含まれている。
【００２０】
また、PLOTELデータには、一次元ダミー要素の両端の節点に付与されたID（識別情報）が含まれている。そして、隣接して連続する一次元ダミー要素の接続端には同一のIDが付与されている。従って、端部に同一のIDが付与されている一次元ダミー要素同士は、連続していることが分かる。
【００２１】
ここでは、図２及び図３に示すように、予め、中間ビームサスペンションの第１有限要素モデル３０を、所定の分割点３０ａ〜３０ｃで分割して複数の第２有限要素モデル３１〜３４が生成されている。
【００２２】
入力手段１１は、第２有限要素モデル３１〜３４を示す第２有限要素モデルデータの入力を受ける。第２有限要素モデル３１〜３４には、図４に示すように、分割点３０ａ〜３０ｃの断面（以下、分割断面と呼ぶ。）に対するメッシュ３１ａ，３２ａ，３２ｂ・・・が含まれている。
【００２３】
なお、本実施形態では、第２有限要素モデル３１〜３４、及び分割断面のメッシュ３１ａ，３２ａ，３２ｂ・・・は、PLOTELデータに含まれている。また、第１有限要素モデル３０及びPLOTELデータは、NASTRANデータに含まれている。入力手段１１は、NASTRANデータの入力を受ける。
【００２４】
一次元ダミー要素並べ替え手段１２は、第２有限要素モデル３１〜３４のそれぞれについて、分割断面のメッシュ３１ａ，３２ａ，３２ｂ・・・を構成する一次元ダミー要素３８（図５参照）を、分割断面の形状に沿って連続的になるように、すなわち、一次元ダミー要素が一筆書きとなるように並べ替える。一次元ダミー要素の並べ替えは、一次元ダミー要素の端部の節点に付与されているＩＤ（識別情報）に基づいて行う。このように一次元ダミー要素を並べ替えるのは、PLOTELデータには断面のメッシュを構成する一次元ダミー要素のデータが含まれているものの、必ずしも一次元ダミー要素が連続するように順番に並べられていないからである。
【００２５】
一次元ダミー要素連続曲線生成手段１３は、図５（ａ）〜（ｃ）に示すように、一次元ダミー要素並べ替え手段１２によって並べ替えられた多数の一次元ダミー要素３８を節点３３ａ〜３３ｎで連続して、分割断面の形状を表す一次元ダミー要素連続曲線１３Ａ〜１３Ｃを生成する。
【００２６】
一次元ダミー要素連続曲線図形表示手段１４は、第２有限要素モデルの分割断面をＸ軸方向から見た図（正面図）、Ｙ軸方向から見た図（側面図）、Ｚ軸方向方見た図（上面図）によって、一次元ダミー要素連続曲線１３Ａ〜１３Ｃを図形表示する。図５（ａ）は、正面図によって表示される一次元ダミー要素連続曲線１３Ａ、図５（ｂ）は側面図によって表示される対する一次元ダミー要素連続曲線１３Ｂ、図５（ｃ）は上面図によって表示される一次元ダミー要素連続曲線１３Ｃを示す。
【００２７】
本実施形態では、一次元ダミー要素連続曲線１３Ａ〜１３Ｃは、第２有限要素モデル３１Ａ〜３１Ｃの分割断面の形状、すなわち、一次元ダミー要素連続曲線１３Ａは右側が開放された扁平なチューブ状、一次元ダミー要素連続曲線１３Ｂは右下がりに傾斜する殆ど直線に近いチューブ状、一次元ダミー要素連続曲線１３Ｃは右側方に突出する弓状に形成されている。
【００２８】
独立節点選択情報入力手段１５は、図６（ａ）〜（ｃ）に示すように、画面表示されている一次元ダミー要素連続曲線１３Ａ〜１３Ｃ上の節点３３ａ〜３３ｎの中から、第２特性を解析するための独立節点を選択するための独立節点選択情報の入力を受ける。この独立節点選択情報は、例えばマウスによって画面上の節点をクリックすることにより発生する。本実施形態では、一次元ダミー要素連続曲線１３Ａ〜１３Ｃの開始点の節点３３ａ、終了点の節点３３ｎ、及び中間点の３節点３３ｅ，３３ｈ，３３ｋの５つを独立節点として選択する。
【００２９】
独立節点設定手段１６は、選択された節点３３ａ，３３ｅ，３３ｈ，３３ｋ，３３ｎを独立節点として設定する。識別情報付与手段１７は、独立節点３３ａ，３３ｅ，３３ｈ，３３ｋ，３３ｎに他の節点のIDとは異なるユニークなIDを付与する。
【００３０】
解析用データ生成手段１８は、図７に示すように、第２有限要素モデル３１Ａ〜３１Ｄの分割断面におけるメッシュの節点、独立節点及びこれらの節点のIDを関連付けて解析用データ３６を生成する。本実施形態では、解析用データ３６には、一行目の最初の欄Ａに解析用データである旨を示すキーワード３６ａ、二番目の欄Ｂに解析用データのID３６ｂ、四番目の欄Ｄから最終行の最後の欄Ｉにかけて、一次元ダミー要素連続曲線１３Ａ〜１３Ｃにおける節点３３ａ〜３３ｎのIDと、自由度との組み合わせが記入される。
【００３１】
本実施形態では、解析用データ３６におけるＡ欄の一行目にキーワード（RSPLINE）３
６ａ、Ｂ欄〜Ｉ欄の一行目〜５行目にかけて順に、解析用データのＩＤ（１１１２０００）、空欄、開始点の節点３３ａのID（１１１２００１）、２番目の節点３３ｂのID（２０１９）及び自由度（１２３４５６）、３番目の節点３３ｃのID（２０１８）及び自由度（
１２３４５６）・・・・、終了点の節点３３ｎのID（１１１２００５）が記入される。
【００３２】
開始点の節点３３ａと終了点の節点３３ｎには自由度が設定されないため、図３６中の一番目の節点ID（１１１２００１）の次には、空欄を置かずに直ぐに次の節点ID（２０１９）が記入され、最後の節点ID（１１１２００５）の次の欄Ｂは空白となっている。また、最初と最後の節点３３ａ，３３ｎのIDを除く他の節点のIDの次の欄が空白の場合は、その節点が独立節点であることを示す。自由度はＸＹＺ軸方向の変位と、ＸＹＺ軸のそれぞれに対する回転角との最大６個があり、その全てを指定する場合は自由度を（１２３４５６）とし、ＸＹＺ軸方向の変位だけ指定する場合は自由度を（１２３）とする。出力手段１９は、第２有限要素モデル３１Ａ〜３１Ｄの第２有限要素モデルデータと、第２有限要素モデル３１Ａ〜３１Ｄのそれぞれについて生成された解析用データ３６を関連付けて出力する。
【００３３】
上記各手段１１〜１９の機能は、コンピュータ上に実現されるＣＡＥ（computer-aided
engineering）システムの１つの機能として、コンピュータ上で実現されるコンピュータプログラムによって実現される。ここで、コンピュータは、ＣＰＵ（Central Processing
Unit）、メモリ、入出力インターフェース、入出力インターフェースに接続される外部
記憶装置、表示装置、入力装置、通信装置等を有する。
【００３４】
外部記憶装置は、例えば、ハードディスク駆動装置である。また、外部記憶装置は、着脱可能な記憶媒体の駆動装置、例えば、ＣＤ−ＲＯＭ（Compact Disc Read Only Memory
）、ＤＶＤ（Digital Versatile Disk）等の駆動装置を含む。さらに、外部記憶装置として、フラッシュメモリカードの入出力装置を用いてもよい。
【００３５】
表示装置は、例えば、ＣＲＴ（Cathode Ray tube）、液晶ディスプレイ等である。また、入力装置は、キーボード、ポインティングデバイス等である。ポインティングデバイスには、マウス、ジョイスティック、タッチパネル、静電方式のフラットなポインティングデバイス、スティック形状のポインティングデバイス等を含む。通信装置は、例えば、ＬＡＮ基板等である。
【００３６】
＜操作画面＞
次に、この設計支援装置１の操作画面を説明する。図８〜１１は、データ入力処理の操作画面を示す。ここでは、まず、図８に示すように、表示装置によってメインメニュー画面４０を表示する。このメインメニュー画面４０には、第２有限要素モデルデータを読み込むためのファイル読み込みボタン４１，読み込んだ第２有限要素モデルの解析用データを生成するための解析用データ生成開始ボタン４２、独立節点の数を設定する独立節点数入力欄４３、第２有限要素モデル及びその解析用データを関連付けて出力するデータ出力ボタン４４などが設けられている。
【００３７】
ファイル読み込みボタン４１が押されると、図９に示すように、ファイル読み込み画面５０が表示される。このファイル読み込み画面５０には、第２有限要素モデルを選択する形状データ読み込みボタン５１、選択された第２有限要素モデルのデータファイル名を表示するファイル名表示欄５２、分割断面のメッシュデータを読み込むメッシュデータ読み込みボタン５３、読み込まれたメッシュデータのファイル名を表示するメッシュデータ名表示欄５４、読み込んだデータをクリアするクリアボタン５５などが設けられている。
【００３８】
ファイル読み込み画面５０で、形状データ読み込みボタン５１又はメッシュデータ読み込みボタン５３が押されると、図１０に示すように、そのデータが格納されているホルダ５６が開かれる。ここで、ホルダ５６内のファイルが選択されると、図１１示すように、ファイル読み込み画面５０のファイル名表示欄５２又はメッシュデータ名表示欄５４に、
第２有限要素モデルデータの名称又はメッシュデータの名称が表示される。
【００３９】
図１２〜１６は、解析用データ生成処理の操作画面及びデータ表示画面を示す。ここでは、メインメニュー画面４０（図８参照）の解析用データ生成開始ボタン４２が押されると、一次元ダミー要素並べ替え手段１２によって、メッシュの一次元ダミー要素が連続的に並ぶように並べ替えられる。次に、一次元ダミー要素連続曲線生成手段１３によって、一次元ダミー要素が連続的に並べられて断面形状を表す一次元ダミー要素連続曲線が生成される。
【００４０】
次に、図１２に示すように、独立節点選択画面６０が表示され、この独立節点選択画面６０に、正面図、側面図及び上面図の３面図によって一次元ダミー要素連続曲線１３Ａ〜１３Ｃが図形表示される。また、この独立節点選択画面６０には、開始点及び終点の独立節点を選択する選択ボタン６１、開始点及び終点以外の独立節点を追加する独立節点の追加ボタン６２、解析用データ生成ボタン６３、確認ボタン６４などが設けられている。ここでは、例えばマウスなどのポィンティングデバイスによって、一次元ダミー要素連続曲線１３Ａ〜１３Ｃ上の節点を指示することによりその節点が独立節点として設定される。
【００４１】
独立節点選択画面６０の解析用データ生成ボタン６3が押されると、図１３に示すよう
に、解析用データ３６が生成され、この解析用データ３６が解析用データ表示画面６９によって図形表示される。
【００４２】
図１４は、出力処理の操作画面を示す。メインメニュー画面４０（図８参照）のデータ出力ボタン４４が押されると、出力画面７０が表示される。この出力画面７０には、第２有限要素モデル３１〜３４のそれぞれについて、記入欄７１〜７４が設けられている。各記入欄７１〜７４には、解析用データ３６を保存するホルダ名入力欄７５（４つの解析用モデルに共通）、解析用データ名入力欄７６、形状データ（第２有限要素モデルデータ）名入力欄７７、計算実行ファイル名入力欄７８、出力ファイル名入力欄７９、節点ＩＤ入力欄８０，ファイル出力ボタン８１，ファイル一括出力ボタン８２などが設けられている。
【００４３】
＜処理フロー＞
図１５は、この設計支援装置１の解析用データ生成処理の処理フローである。この処理フローは、コンピュータプログラムとして実現される。ここでは、予め第２有限要素モデルが生成されており、入力手段１１はこの第２有限要素モデルの入力を受ける（Ｓ１）。
【００４４】
次に、一次元ダミー要素並び替え手段１２は一次元ダミー要素を連続的に並び替え、一次元ダミー要素連続曲線生成手段１３は一次元ダミー要素連続曲線を生成し、一次元ダミー要素連続曲線図形表示手段１４は一次元ダミー要素連続曲線を図形表示する（Ｓ２）。次に、独立節点選択情報入力手段１５は、一次元ダミー要素連続曲線上で独立節点選択情報の入力を受け、独立節点設定手段１６は独立節点選択情報に基づいて独立節点を設定する（Ｓ４）。次に、識別情報付与手段１７は、独立節点にユニークなＩＤを付与する（Ｓ５）。次に、出力手段１８は、第２有限要素モデルと解析用データを関連つけて出力する（Ｓ６）。
【００４５】
図１６は、一次元ダミー要素並べ替え処理フローを示す。ここでは、一次元ダミー要素並べ替え手段１２は、第２有限要素モデルの分割断面におけるメッシュデータを読み込み（Ｓ１１）、節点（ＧＲＩＤ）の列を読み込む（Ｓ１２）。次に、一次元ダミー要素並べ替え手段１２は、一度しか現れない節点があるか否かを判断する（Ｓ１３）。一度しか現れない節点があれば、第２有限要素モデルの分割段目が開断面（一部が開かれたチューブ状）であり、なければ閉断面（閉じられたチューブ状）である。
【００４６】
ステップ（Ｓ１３）で、一度しか現れない節点があると判断した場合は、一次元ダミー要素並べ替え手段１２は、その節点を開始点として、その節点のＩＤを解析用データの一行目に出力し（Ｓ１４）、続いてこれ以降の節点を順次検索して検索された節点のＩＤを開始点の次に順次出力する（Ｓ１５）。次に、解析用データの最後の行に終点の節点におけるＩＤを出力し（Ｓ１６）、ｎ＝一次元ダミー要素の数とする（Ｓ１７）。また、ステップ（Ｓ１３）で、一度しか現れない節点がないと判断した場合は、次に、開始点の節点のＩＤを解析用データの一行目に出力し（Ｓ１８）し、次にステップ（Ｓ１５）以降の処理を行う。
【００４７】
図１７は、独立節点設定処理フローを示す。ここでは、まず、独立節点選択情報入力手段１５は、梁連続曲線上の節点を選択する独立節点選択情報の入力を受け（Ｓ２１）、独立節点設定手段１６は独立節点を設定する（Ｓ２２）。次に、識別情報付与手段１７は、独立節点にユニークなＩＤを付与する（Ｓ２３）。次に、解析用データ生成手段１８は、解析用データを生成する（Ｓ２４）。次に、出力手段１９は、第２有限要素モデルと解析用データとを関連つけて出力する（Ｓ２５）。
【００４８】
このように、本発明の設計支援装置１によれば、予め、強度解析用の第１有限要素モデル３０を分割して生成された操縦安定性解析用の第２有限要素モデル３１Ａ〜３１Ｄに基づいて、分割断面のメッシュ３２ａ，３３ａ，３３ｂ・・・から独立節点を選択し、この独立節点、独立節点以外の節点、及びＩＤとを関連つける解析用データ３６を自動的に生成できるので、作業効率を上げることができると共に、作業ミスの発生を抑制できる。
【００４９】
なお、上記実施形態では、本発明を中間ビームサスペンションに適用した場合について説明したが、本発明は板部材によって形成された各種の物に適用できる。
【図面の簡単な説明】
【００５０】
【図１】本発明に係る実施形態の設計支援装置の構成を示す図である。
【図２】本発明に係る実施形態の第１有限要素モデルを示す図である。
【図３】本発明に係る実施形態の第２有限要素モデルを示す図である。
【図４】本発明に係る実施形態の第２有限要素モデルのメッシュを示す図である。
【図５】本発明に係る実施形態の一次元ダミー要素連続曲線を示す図であり、図５（ａ）は正面図、図５（ｂ）は側面図、図５（ｃ）は上面図である。
【図６】本発明に係る実施形態の独立節点の選択画面を示す図であり、図６（ａ）は正面図、図６（ｂ）は側面図、図６（ｃ）は上面図である。
【図７】本発明に係る実施形態の解析用データを示す図である。
【図８】本発明に係る実施形態のメインメニュー画面を示す図である。
【図９】本発明に係る実施形態のファイル読み込み画面を示す図である。
【図１０】本発明に係る実施形態のファイル選択画面を示す図である。
【図１１】本発明に係る実施形態のファイル名入力画面を示す図である。
【図１２】本発明に係る実施形態の梁連続曲線表示画面を示す図である。
【図１３】本発明に係る実施形態の解析用データ表示画面を示す図である。
【図１４】本発明に係る実施形態のファイル出力画面を示す図である。
【図１５】本発明に係る実施形態の解析用データ生成処理を示すフローチャートである。
【図１６】本発明に係る実施形態の独立節点設定処理を示すフローチャートである。
【図１７】本発明に係る実施形態の出力処理を示すフローチャートである。
【符号の説明】
【００５１】
１  設計支援装置
１１  入力手段
１２  一次元ダミー要素並べ替え手段
１３  一次元ダミー要素連続曲線生成手段
１３Ａ〜１３Ｃ  一次元ダミー要素連続曲線
１４  一次元ダミー要素連続曲線図形表示手段
１５  独立節点選択情報入力手段
１６  独立節点設定手段
１７  識別情報付与手段
１８  解析用データ生成手段
１９  出力手段
３０  第１の有限要素モデル
３０ａ〜３０ｃ  分割点
３１〜  ３４  第２の有限要素モデル
３１ａ，３２ａ，３２ｂ  メッシュ
３３ａ〜３３ｎ  節点
３６  解析用データ
３６ａ  キーワード
３８  一次元ダミー要素
４０  メインメニュー画面
４１  ファイル読み込みボタン
４２  断面表示ボタン
４２  解析用データ生成開始ボタン
４３  独立節点数入力欄
４４  データ出力ボタン
５０  ファイル読み込み画面
５１  形状データ読み込みボタン
５２  ファイル名表示欄
５２  ファイル名表示欄
５３  メッシュデータ読み込みボタン
５４  メッシュデータ名表示欄
５５  クリアボタン
５６  ホルダ
６０  独立節点選択画面
６１  独立節点選択ボタン
６２  独立節点追加ボタン
６３  解析用データ生成ボタン
６４  確認ボタン
６９  解析用データ表示画面
７０  出力画面
７１〜７４  記入欄
７５  ホルダ名入力欄
７６  解析用データ名入力欄
７７  形状データ名入力欄
７８  計算実行ファイル名入力欄
７９  出力ファイル名入力欄
８０  節点ＩＤ入力欄
８１  ファイル出力ボタン
８２  ファイル一括出力ボタン
【図１】
2009003506.tif 000003
【図２】
2009003506.tif 000004
【図３】
2009003506.tif 000005
【図４】
2009003506.tif 000006
【図５】
2009003506.tif 000007
【図６】
2009003506.tif 000008
【図７】
2009003506.tif 000009
【図８】
2009003506.tif 000010
【図９】
2009003506.tif 000011
【図１０】
2009003506.tif 000012
【図１１】
2009003506.tif 000013
【図１２】
2009003506.tif 000014
【図１３】
2009003506.tif 000015
【図１４】
2009003506.tif 000016
【図１５】
2009003506.tif 000017
【図１６】
2009003506.tif 000018
【図１７】
2009003506.tif 000019